(57)【要約】【課題】棚板の薄型化及び軽量化を実現できるとともに、脚部の位置調整が容易な整理棚装置の提供。【解決手段】棚板１ａの底面に取り付けられ、断面が略Ｃ字状に形成されるとともに、その長手方向に設けられた開口溝２ａが下方へ開口するレール部材２を備え、脚部３が、レール部材２の開口溝２ａの側縁部の上面２ｂに当接し、開口溝２ａの鉛直方向投影面上にねじ孔３ａ１を有するプレート３ａと、レール部材２の開口溝２ａの側縁部の底面２ｃに当接する頂部３ｄを有し、ねじ孔３ａ１と対向する頂部３ｄ位置に貫通孔３ｄ１を有する脚部本体３ｃと、この脚部本体３ｃの貫通孔３ｄ１に挿通されてプレート３ａのねじ孔３ａ１と螺合し、この状態において脚部本体３ｃとプレート３ａとによって開口溝２ａの側縁部を挟圧保持可能にさせる締結具３ｂとを備えた構成にしてある。【選択図】図４
2006288876.tif 000002
【特許請求の範囲】
【請求項１】
棚板と、この棚板の底面から下方に向けて延設される脚部とを有する整理棚装置において、
前記棚板の底面に取り付けられ、断面が略Ｃ字状に形成されるとともに、その長手方向に設けられた開口溝が下方へ開口するレール部材を備え、
前記脚部が、
前記レール部材の前記開口溝の側縁部の上面に当接し、前記開口溝の鉛直方向投影面上にねじ孔を有するプレートと、
前記レール部材の前記開口溝の前記側縁部の底面に当接する頂部を有し、前記ねじ孔と対向する前記頂部の位置に貫通孔を有する脚部本体と、
この脚部本体の前記貫通孔に挿通されて前記プレートの前記ねじ孔と螺合し、この状態において前記脚部本体と前記プレートとによって前記開口溝の前記側縁部を挟圧保持可能にさせる締結具とを備え、
前記挟圧保持させた状態にあって前記締結具を前記ねじ孔から螺退させることにより、前記脚部本体が前記レール部材の前記開口溝に沿って変位可能になっていることを特徴とする整理棚装置。
【発明の詳細な説明】
【技術分野】
【０００１】
本発明は、設置面に凹凸を有する業務車両の荷台整理棚等に活用される整理棚装置に関する。
【背景技術】
【０００２】
設置面に凹凸がある場合などに好適な整理棚装置として、従来、特許文献１に示されるものがある。この従来技術は、キャビネットが載置される棚板、すなわち木製の面板の裏面に凹溝からなるレールを形成するとともに、このレールに、脚部に形成された凸状の頭部を嵌合させ、適宜の設置面において脚部と面板とをねじ等により固定する構成になっている。この従来技術にあっては、設置面に凹凸がある場合には、ねじを緩めて脚部の頭部をレールに沿って動かすことにより、脚部を動かすことができ、設置面の凹凸を考慮した安定した設置が可能となっている。
【特許文献１】特開平１０−９９１５１号公報
【発明の開示】
【発明が解決しようとする課題】
【０００３】
上述した従来技術では、棚板すなわち面板の裏面に凹溝からなるレールを形成するので、面板の厚さは、レールを形成した状態で所望の強度が得られる厚さとしなければならず、このために面板、すなわち棚板の薄型化及び軽量化が難しい問題がある。
【０００４】
また、面板の凹溝からなるレールに、脚部の凸状の頭部を単に嵌合させる構成であるので、脚部を面板に取り付けていたねじを外した際に、脚部と面板とが離脱しやすく、設置面の凹凸に応じて脚部の位置を変えようとしたときなどの脚部の位置調整作業が煩雑となり、この位置調整作業の能率が低下しやすい問題もある。
【０００５】
本発明は、上述した従来技術における実状からなされたもので、その目的は、棚板の薄型化及び軽量化を実現できるとともに、脚部の位置調整が容易な整理棚装置を提供することにある。
【課題を解決するための手段】
【０００６】
前記目的を達成するために、本発明は、棚板と、この棚板の底面から下方に向けて延設される脚部とを有する整理棚装置において、前記棚板の底面に取り付けられ、断面が略Ｃ字状に形成されるとともに、その長手方向に設けられた開口溝が下方へ開口するレール部材を備え、前記脚部が、前記レール部材の前記開口溝の側縁部の上面に当接し、前記開口溝の鉛直方向投影面上にねじ孔を有するプレートと、前記レール部材の前記開口溝の前記側縁部の底面に当接する頂部を有し、前記ねじ孔と対向する前記頂部の位置に貫通孔を有する脚部本体と、この脚部本体の前記貫通孔に挿通されて前記プレートの前記ねじ孔と螺合し、この状態において前記脚部本体と前記プレートとによって前記開口溝の前記側縁部を挟圧保持可能にさせる締結具とを備え、前記挟圧保持させた状態にあって前記締結具を前記ねじ孔から螺退させることにより、前記脚部本体が前記レール部材の前記開口溝に沿って変位可能になっていることを特徴としている。
【０００７】
このように構成した本発明は、レール部材を棚板とは別体に設けたので、棚板の厚さがレール部材によって制約されることがない。すなわち、棚板の厚さを可能な限り小さくして、この棚板の薄型化及び軽量化を実現できる。また、締結具による締結を緩めれば、プレートがレール部材の開口溝の側縁部に係合した状態で脚部をレール部材の開口溝に沿って動かすことができる。すなわち、脚部を棚板から離脱させずにこの脚部を移動させ、所望の位置において締結具によって締結することができ、この脚部の位置調整が容易である。
【発明の効果】
【０００８】
本発明は、レール部材を棚板とは別体に設けたので、棚板の薄型化及び軽量化を実現でき、従来に比べて製作コストを低減できる。また、締結具による締結を緩めれば脚部を棚板から離脱させずに移動させることができ、従来に比べてこの脚部の位置調整が容易であり、この位置調整作業の能率を向上させることができる。
【発明を実施するための最良の形態】
【０００９】
以下，本発明に係る整理棚装置を実施するための最良の形態を図に基づいて説明する。
【００１０】
図１は本発明に係る整理棚装置の一実施形態を示す正面図、図２は図１に示す本実施形態の側面図、図３は本実施形態の要部を示す分解斜視図、図４は本実施形態の要部を示す断面図である。
【００１１】
本実施形態の整理棚装置１は、例えば業務車両の荷台整理棚として活用されるものであり、図１，２に示すように、収納ボックス４が載置される棚板１ａと、この棚板１ａの底面から下方に向けて延設される４本の脚部３とを備えている。
【００１２】
棚板１ａの底面には、断面が略Ｃ字状に形成される例えば軽量鋼材からなり、図３，４に示すように、その長手方向に設けられた開口溝２ａが下方へ開口するレール部材２が取り付けられている。
【００１３】
脚部３のそれぞれは、図３，４に示すように、レール部材２の開口溝２ａの側縁部の上面２ｂに当接し、開口溝２ａの鉛直方向投影面上にねじ孔３ａ１を有するプレート３ａと、レール部材２の開口溝２ａの底面２ｃに当接する頂部３ｄを有し、ねじ孔３ａ１と対向する頂部３ｄの位置に貫通孔３ｄ１を有する脚部本体３ｃと、この脚部本体３ｃの貫通孔３ｄ１に挿通されてプレート３ａのねじ孔３ａ１と螺合し、この状態において脚部本体３ｃとプレート３ａとによって開口溝２ａの側縁部を挟圧保持可能にさせるボルトとナットからなる締結具３ｂとを備えている。
【００１４】
このように構成される本実施形態に係る整理棚装置１を、図５に示すように業務車両の凹凸のある荷台上に設置する場合には、例えば床面５の凸部５ａ上に脚部本体３ｃが載置されるように脚部３の位置を調整すればよい。この場合、締結具３ｂをプレート３ａのねじ孔３ａ１からわずかに螺退させることにより、すなわち締結具３ｂによる締結を緩めることにより、プレート３ａがレール部材２の開口溝２ａの側縁部に係合した状態で、脚部３をレール部材２の開口溝２ａに沿って動かすことができ、この脚部３を確実に床面５の凸部５ａ上に載置させることができる。
【００１５】
このように構成した本実施形態に係る整理棚装置１によれば、締結具３ｂによる締結を適宜緩めることにより、設置面に凹凸面がある場合に、凹面上に、あるいは凸面上に脚部３を容易に動かすことができ、安定して収納ボックス４を保持させることができる。
【００１６】
また特に、レール部材２を棚板１ａとは別体に設けたので、棚板１ａの厚さがレール部材２によって制約されることがない。すなわち、棚板１ａの厚さを可能な限り小さくして、この棚板１ａの薄型化及び軽量化を実現でき、製作コストを低減できる。
【００１７】
また上述したように、締結具３ｂによる締結を緩めれば、プレート３ａがレール部材２の開口溝２ａの側縁部に係合した状態で脚部３をレール部材２の開口溝２ａに沿って動かすことができる。すなわち、脚部３を棚板１ａから離脱させずに移動させ、この脚部３を所望の位置において締結具３ｂによって締結することができ、この脚部３の位置調整が容易であり、この位置調整作業の能率を向上させることができる。
【図面の簡単な説明】
【００１８】
【図１】本発明に係る整理棚装置の一実施形態を示す正面図である。
【図２】図１に示す本実施形態の側面図である。
【図３】本実施形態の要部を示す分解斜視図である
【図４】本実施形態の要部を示す断面図である。
【図５】本実施形態を業務車両の荷台に設置した状態を示す図である。
【符号の説明】
【００１９】
１    整理棚装置
１ａ  棚板
２    レール部材
２ａ  開口溝
２ｂ  上面
２ｃ  底面
３    脚部
３ａ  プレート
３ａ１  ねじ孔
３ｂ  締結具
３ｃ  脚部本体
３ｄ  頂部
３ｄ１  貫通孔
４    収納ボックス
５    床面
５ａ  凸部
【図１】
2006288876.tif 000003
【図２】
2006288876.tif 000004
【図３】
2006288876.tif 000005
【図４】
2006288876.tif 000006
【図５】
2006288876.tif 000007